(57)【要約】【課題】円筒形の本体及び屋根部からなる貯水タンクの屋根部の改修又は補修に際して、貯水空間を密閉保護するために本体内上部に架設する円形の密閉シートの周縁部を容易かつ簡便に本体内壁に密着させ、塵埃などの異物の侵入を防いで、貯水空間を確実に保護することができる密閉シート固定補助具を提供する。【解決手段】円筒形の本体及び屋根部からなる貯水タンクの屋根部の改修又は補修に際して、貯水空間を密閉保護するために本体内上部に架設する円形の密閉シートの周縁部を本体内壁に密着させる密閉シート固定補助具であって、可撓性シート製の中空管の環状体よりなることを特徴とする密閉シート固定補助具。【選択図】図１３
2007069951.tif 000002
【特許請求の範囲】
【請求項１】
円筒形の本体及び屋根部からなる貯水タンクの屋根部の改修又は補修に際して、貯水空間を密閉保護するために本体内上部に架設する円形の密閉シートの周縁部を本体内壁に密着させる密閉シート固定補助具であって、可撓性シート製の中空管の環状体よりなることを特徴とする密閉シート固定補助具。
【請求項２】
可撓性シート製の線状の中空管の一端を他端に挿入することにより環状体を形成してなる請求項１記載の密閉シート固定補助具。
【請求項３】
中空管の両端に面ファスナを有する請求項２記載の密閉シート固定補助具。
【発明の詳細な説明】
【技術分野】
【０００１】
本発明は、密閉シート固定補助具に関する。さらに詳しくは、本発明は、円筒形の本体及び屋根部からなる貯水タンクの屋根部の改修又は補修に際して、貯水空間を密閉保護するために本体内上部に架設する円形の密閉シートの周縁部を容易かつ簡便に本体内壁に密着させ、塵埃などの異物の混入を防いで、貯水空間を確実に保護することができる密閉シート固定補助具に関する。
【背景技術】
【０００２】
飲料水や工業用水などを貯留する貯水タンクは、円筒形の本体及び屋根部からなる構造のものが多い。タンクの本体は円形の底板と円筒形の側壁とからなり、従来より、側壁はプレストレストコンクリートにより構築され、屋根部は鉄筋コンクリートによりドーム状に構築されていた。屋根部の厚さは側壁の厚さより薄く、水中の塩素により侵されるためにコンクリートの劣化が進行し、本体は継続して使用し得るが、屋根部は使用に耐えないような状態が生ずる。このような場合には、屋根部を補修し、あるいは、屋根部を解体し、アルミニウム合金製のドーム屋根に取り替えて改修するなどにより、貯水タンクの耐用年数を延長することが行われる。
貯水タンクの改修又は補修に際しては、タンクの使用を一時中断する必要が生ずる。しかし、飲料水は毎日利用するものであり、タンクの使用を中断すると給水が不可能になる。このために、貯水タンクを使用し、給水を続けながら、屋根部を改修又は補修することができる工法の開発が進められている。
例えば、タンクを利用しながらも、貯蔵水の水質を悪化させることなく、既存屋根部を改修、解体することのできるタンクの屋根部改修方法として、貯蔵水の上側の貯蔵空間を密閉するように、水に接触しても水質を悪化させる物質を放出しない仮設密閉構造体を架設し、この仮設密閉構造体の上側の貯蔵空間に、仮設密閉構造体を損傷させる落下物を遮断する仮設張力構造体を架設したのち、既存屋根部を改修するタンクの屋根部改修方法が提案されている（特許文献１）。
図１７は、この改修方法の説明図である。円筒形の本体３５及び屋根部３６からなる貯水タンク３７の本体内上部に貯水空間を密閉保護するための円形の密閉シート３８が架設され、その上側に落下物を遮断する仮設張力構造体３９が仮設されている。この状態で、密閉シートは落下物の衝撃から保護され、貯水空間は外部環境から保護されているので、貯留水の水質の悪化を招くことなく屋根部の工事を行うことができる。
図１８は、密閉シートとタンク本体内壁との接合状態の説明図である。タンクの側壁４０にアンカーボルト４１の一部が埋め込まれ、密閉シート３８の周縁部に開けられた穴がアンカーボルトに挿通される。密閉シートの周縁部は、アンカーボルトに挿通された押さえプレート４２により押えられ、螺合ボルト４３により締結される。このような構成により、密閉シートはタンク本体内壁に固定されるが、密閉シートと本体内壁の間の隙間から塵埃などが混入するおそれがある。隣接するアンカーボルトの間隔を狭めることにより、密閉シートと本体内壁の隙間を減少することはできるが、塵埃混入の懸念を完全に払拭することはできず、また、アンカーボルトの本数を増すことは、そのまま作業工数の増大につながる。
【特許文献１】特開２００１−１７１７８８号公報
【発明の開示】
【発明が解決しようとする課題】
【０００３】
本発明は、円筒形の本体及び屋根部からなる貯水タンクの屋根部の改修又は補修に際して、貯水空間を密閉保護するために本体内上部に架設する円形の密閉シートの周縁部を容易かつ簡便に本体内壁に密着させ、塵埃などの異物の侵入を防いで、貯水空間を確実に保護することができる密閉シート固定補助具を提供することを目的としてなされたものである。
【課題を解決するための手段】
【０００４】
本発明者は、上記の課題を解決すべく鋭意研究を重ねた結果、密閉シートをタンク本体内壁に固定するアンカーボルトを密閉シート面よりも上方に設け、本体内壁の直径に等しい外径を有する可撓性シート製の中空管の環状体を密閉シート上に載置し、中空管内に気体を圧入して環状体を膨張させることにより、密閉シートの周縁部は本体内壁に押し付けられて隙間が生ずることがなく、さらに、可撓性シート製の線状の中空管の一端を他端に挿入して環状体を形成することにより、中空管の製造が容易になり、１本の中空管を用いて寸法の異なる多数の貯水タンクに使用し得る環状体を形成し得ることを見いだし、この知見に基づいて本発明を完成するに至った。
すなわち、本発明は、
（１）円筒形の本体及び屋根部からなる貯水タンクの屋根部の改修又は補修に際して、貯水空間を密閉保護するために本体内上部に架設する円形の密閉シートの周縁部を本体内壁に密着させる密閉シート固定補助具であって、可撓性シート製の中空管の環状体よりなることを特徴とする密閉シート固定補助具、
（２）可撓性シート製の線状の中空管の一端を他端に挿入することにより環状体を形成してなる(１)記載の密閉シート固定補助具、及び、
（３）中空管の両端に面ファスナを有する(２)記載の密閉シート固定補助具、
を提供するものである。
【発明の効果】
【０００５】
本発明の密閉シート固定補助具を用いることにより、円筒形の本体及び屋根部からなる貯水タンクの屋根部の改修又は補修に際して、貯水空間を密閉保護するために本体内上部に架設する円形の密閉シートの周縁部を容易かつ簡便に本体内壁に密着させ、貯水空間を確実に保護して、安全に屋根部の工事を行うことができる。さらに、環状体を形成する線状の中空管は、製造が容易であり、中空管の一端を他端に挿入して環状体を形成することにより、１本の中空管を用いて寸法の異なる多数の貯水タンクに使用し得る環状体とすることができる。
【発明を実施するための最良の形態】
【０００６】
本発明の密閉シート固定補助具は、円筒形の本体及び屋根部からなる貯水タンクの屋根部の改修又は補修に際して、貯水空間を密閉保護するために本体内上部に架設する円形の密閉シートの周縁部を本体内壁に密着させる密閉シート固定補助具であって、可撓性シート製の中空管の環状体よりなる。本発明において、密閉とは、貯留水への塵埃などの異物の混入を防止する状態を意味し、気密状態を意味するものではない。
図１は、本発明の密閉シート固定補助具の一態様の膨張状態を示す平面図であり、図２は、その中空管のＡ−Ａ線切断部の端面、気体充填口の側面及び固縛テープの側面を示す説明図である。図１に示す態様の密閉シート固定補助具は、２個の気体充填口１と１８本の固縛テープ２を有する。気体充填口から気体を吹き込んで可撓性シート製の中空管を膨張させると、密閉シート固定補助具は図１に示す環状体となる。環状体の中心軸を通る平面で切断した中空管の断面は、ほぼ円形であることが好ましい。密閉シート固定補助具が膨張して形成される環状体の外径は、屋根部の改修工事又は補修工事を行う貯水タンクの内径とほぼ等しくする。
【０００７】
図３〜１０は、本発明の密閉シート固定補助具の使用方法の一態様の説明図である。円形の密閉シートの周縁部に密閉シート固定補助具を固縛テープにより固縛し、２個の気体充填口が両端に位置するように、密閉シートを直線状に巻き込んでおく。図３に示すように、工事を行う貯水タンク３の屋根部４の対面する２か所にマンホール５を開けておく。巻き込んだ密閉シート６の端部に引き込みロープ７を取り付け、密閉シートを吊りロープ８により吊り上げる。マンホールから貯水タンク内に入ったダイバー９が引き込みロープを受け取り、引き込みロープの端を対面するマンホールまで運ぶ。ダイバーの代わりに、膨張性のボートをマンホールから入れ、ボートに乗って作業することもできる。
図４に示すように、対面するマンホールまで運ばれた引き込みロープ７は、マンホールから引き出される。次いで、図５に示すように、引き込みロープをマンホールから引き出すことにより、直線状に巻き込まれた密閉シート６を貯水タンクの中に引き込む。密閉シート固定補助具の一方の気体充填口に送気ホース１０を取り付け、密閉シートを貯水タンク内に完全に引き込む。さらに、図６に示すように、密閉シート固定補助具の他方の気体充填口にも送気ホース１０を取り付け、２個の気体充填口から気体を送り込む。
【０００８】
図７に示すように、気体の送入により密閉シート固定補助具は膨張して広がり、密閉シート固定補助具に固縛された密閉シート６は、密閉シート固定補助具とともに貯水タンク３の中で広がる。密閉シート固定補助具が完全に膨張して図１に示す環形状となると、図８に示すように、密閉シート６が完全に開き、密閉シートの周縁部が密閉シート固定補助具により貯水タンクの内壁に押し付けられた状態となる。この状態で、密閉シート固定補助具への送気を停止する。
次いで、図９に示すように、密閉シートのボルト止め作業を行うために、屋根部の外周に穿孔１１を開ける。図１０に示すように、密閉シートのボルト部２か所をロープ１２で固定し、作業者がゴンドラクレーン１３に乗り、貯水タンク本体壁面にボルト孔を開け、ボルトに密閉シートと押え板を挿通してボルトを壁面のボルト孔に挿入し、貯水タンクの外側からナットを螺合して締結する。
【０００９】
図１１は、密閉シートのボルトによる固定方法の説明図である。押え板１５と密閉シート１４を挿通してボルト１６を壁面のボルト孔に挿入し、貯水タンク１７の外側からナット１８を螺合して締結する。密閉シートの端部のボルト挿通箇所は、強度を高めるために、図に示すように折り返して二重とすることが好ましい。押え板の材質に特に制限はないが、密閉シートの損傷を避けるために、アラミド樹脂などのエンジニアリングプラスチックを用いることが好ましい。ボルトによる密閉シートの固定作業が終了したのち、さらに密閉シート固定補助具１９に送気して内圧を上昇し、膨張させることにより、密閉シートの周縁部を本体内壁に強く密着させることができる。本態様の密閉シートの固定方法によれば、密閉シートの面は、ボルト止め位置より下方に存在し、かつ密閉シートの周縁部は密閉シート固定補助具により貯水タンク本体内壁へ押し付けられているので、貯留水への塵埃などの混入を防止する効果に優れている。
本発明の密閉シート固定補助具を用いる場合、密閉シートに通気チューブを設けることが好ましい。本発明の密閉シート固定補助具を用いると、密閉シートの周縁部は貯水タンクの本体内壁にほとんど気密状態に密着するので、密閉シートに通気チューブを設けることにより、貯留水量の増減に応じて通気チューブから空気を出入させ、密閉シートと貯留水面の間の空間を大気圧に保つことができる。通気チューブの構造に特に制限はなく、例えば、可撓性シート製のチューブの一端を密閉シートに開けた穴に取り付け、他端を貯水タンクの外側に出して、塵埃などの異物の侵入を防ぐために開口部を下向きとすることができる。必要に応じて、通気チューブに異物侵入防止用のフィルターを設けることができる。
【００１０】
本発明の密閉シート固定補助具は、可撓性シートの線状の中空管の一端を他端に挿入することにより環状体を形成することができる。図１２は、本発明の密閉シート固定補助具の他の態様の説明図である。本図は、可撓性シート製の線状の中空管の一端を他端に挿入した状態を断面として示す。線状の中空管の一端２０は真直ぐなままとし、線状の中空管の他端２１は内側に折り返しておく。真直ぐなままの一端を、内側に折り返した他端に挿入することにより、線状の中空管の両端を結合して環状体を形成することができる。
図１３は、本発明の密閉シート固定補助具の他の態様の膨張状態を示す平面図であり、図１４は、その中空管のＢ−Ｂ線切断部の端面、気体充填口の側面及び固縛テープの側面を示す説明図である。図１３に示す態様の密閉シート固定補助具は、図１２に示す状態で、線状の中空管の一端２０が、線状の中空管の他端２１に挿入され、両端が結合して環状体を形成している。図１３に示す態様の密閉シート固定補助具は、２個の気体充填口１と１８本の固縛テープ２を有する。気体充填口から気体を吹き込んで可撓性シート製の中空管を膨張させると、密閉シート固定補助具は環形状となる。最初に中空管の一端を他端に挿入するとき、形成される環状体の外径を貯水タンクの本体内径よりわずかに小さくしておくと、気体を吹き込んで中空管を膨張させたとき、挿入された一端は他端からずり出して環状体の外径が大きくなり、環状体の外径部が貯水タンクの本体内壁に密着した状態となって停止する。
【００１１】
図１に示す態様の密閉シート固定補助具は、密閉シート固定補助具が膨張して形成される環状体の外径が、屋根部の改修工事又は補修工事を行う貯水タンクの内径とほぼ等しいので、内径の異なる貯水タンクに共通に使用することは不可能であり、密閉シート固定補助具を再度使用するためには、環状体を切断して延長又は短縮する必要がある。図１３に示す態様の密閉シート固定補助具は、線状の中空管の一端の他端への挿入長さを調整することにより、外径寸法の異なる環状体を形成することができ、１本の中空管を用いて寸法の異なる貯水タンクの改修工事又は補修工事を行うことができる。また、図１に示す態様の環状体よりなる密閉シート固定補助具に比べて、図１３に示す態様の線状の中空管よりなる密閉シート固定補助具は構造が簡単であり、経済的に製造することができる。
【００１２】
本発明の線状の中空管よりなる密閉シート固定補助具は、両端に面ファスナを設けることができる。図１５は、本発明の密閉シート固定補助具の他の態様の部分平面図及び該補助具の両端の結合状態を示す部分断面図である。本態様の密閉シート固定補助具は、線状の中空管の一端２０に面ファスナ２２を備え、線状の中空管の他端２１に面ファスナ２３、２４、２５及び２６を備えている。本図においては、所望の外径を有する環状体を形成するために、線状の中空管の他端２１が内側に折り返され、線状の中空管の一端２０が挿入され、面ファスナ２２と面ファスナ２５が接着されている。線状の中空管に気体を充填して膨張させると、中空管の他端２１の内側に折り返された部分は中空管の一端２０の方へ押し返されるが、図１５においては、理解を容易にするために、中空管の他端２１を内側に折り返されたままの状態で示す。線状の中空管の他端の折り返し長さを変えて、面ファスナ２２と接着する中空管の他端の面ファスナを選択することにより、形成される環状体の外径を変化させることができる。線状の中空管の両端に面ファスナを設けて接着することにより、線状の中空管の両端を安定に結合することができる。
【００１３】
図１６は、本発明の密閉シート固定補助具の他の態様の部分平面図及び該補助具の両端の結合状態を示す部分断面図である。本態様の密閉シート固定補助具は、線状の中空管の一端２０に面ファスナ２７、２８、２９及び３０を備え、線状の中空管の他端２１に面ファスナ３１、３２、３３及び３４を備えている。本図においては、所望の外径を有する環状体を形成するために、線状の中空管の他端２１が内側に折り返され、線状の中空管の一端２０が挿入され、面ファスナ２７と３１、２２と３２、２９と３３がそれぞれ接着されている。線状の中空管の他端の折り返し長さを変えることにより、形成される環状体の外径を変化させることができる。線状の中空管の両端に複数個の面ファスナを設けて接着することにより、線状の中空管の両端を強固に安定して結合することができる。
本発明に用いる面ファスナの種類に特に制限はなく、例えば、ＪＩＳ Ｌ ３４１６に規定されるフックテープとループテープが対になった１種面ファスナ、フックテープとナッピングテープが対になった２種面ファスナ、マッシュルームテープとループテープが対になった３種面ファスナ、マッシュルームテープとナッピングテープが対になった４種面ファスナなどを挙げることができる。
【００１４】
本発明に用いる可撓性シートとしては、例えば、ゴム引布、ゴムシート、プラスチック引布、プラスチックシートなどを挙げることができる。ゴム引布又はプラスチック引布の基布の材質に特に制限はなく、例えば、綿織物、ポリエステル織物、ポリアミド織物などを挙げることができる。本発明に用いるゴム引布又はゴムシートの材質に特に制限はなく、例えば、天然ゴム、イソプレンゴム、スチレン−ブタジエンゴム、ブタジエンゴム、クロロプレンゴム、ニトリル−ブタジエンゴム、水素化ニトリル−ブタジエンゴム、ＥＰＤＭエラストマーなどを挙げることができる。本発明に用いるプラスチック引布又はプラスチックシートの材質に特に制限はなく、例えば、ポリウレタン、ポリ塩化ビニル、エチレン−酢酸ビニル共重合体などを挙げることができる。
本発明の密閉シート固定補助具を用いて屋根部の改修工事又は補修工事を行うことができる貯水タンクの大きさに特に制限はないが、直径１０〜４０ｍ、容量１,０００〜１０,０００ｍ3の貯水タンクの工事に好適に適用することができる。本発明の密閉シート固定補助具の中空管の膨張時の直径は、１５０〜５００ｍｍであることが好ましく、２２０〜４００ｍｍであることがより好ましい。中空管の膨張時の直径が１５０ｍｍ未満であると、密閉シートの周縁部を貯水タンクの本体内壁に押し付ける力が不足するおそれがある。中空管の膨張時の直径が５００ｍｍを超えると、タンク内作業に支障をきたすおそれがある。
【産業上の利用可能性】
【００１５】
本発明の密閉シート固定補助具を用いることにより、円筒形の本体及び屋根部からなる貯水タンクの屋根部の改修又は補修に際して、貯水空間を密閉保護するために本体内上部に架設する円形の密閉シートの周縁部を容易かつ簡便に本体内壁に密着させ、塵埃などの異物の侵入を防ぎ、貯水空間を確実に保護して、安全に屋根部の工事を行うことができる。さらに、環状体を形成する線状の中空管は、製造が容易であり、中空管の一端を他端に挿入して環状体を形成することにより、１本の中空管を用いて寸法の異なる多数の貯水タンクに使用し得る環状体とすることができる。
【図面の簡単な説明】
【００１６】
【図１】本発明の密閉シート固定補助具の一態様の平面図である。
【図２】図１の密閉シート固定補助具の説明図である。
【図３】本発明の密閉シート固定補助具の使用方法の一態様の説明図である。
【図４】本発明の密閉シート固定補助具の使用方法の一態様の説明図である。
【図５】本発明の密閉シート固定補助具の使用方法の一態様の説明図である。
【図６】本発明の密閉シート固定補助具の使用方法の一態様の説明図である。
【図７】本発明の密閉シート固定補助具の使用方法の一態様の説明図である。
【図８】本発明の密閉シート固定補助具の使用方法の一態様の説明図である。
【図９】本発明の密閉シート固定補助具の使用方法の一態様の説明図である。
【図１０】本発明の密閉シート固定補助具の使用方法の一態様の説明図である。
【図１１】密閉シートのボルトによる固定方法の説明図である。
【図１２】本発明の密閉シート固定補助具の他の態様の説明図である。
【図１３】本発明の密閉シート固定補助具の他の態様の平面図である。
【図１４】図１３の密閉シート固定補助具の説明図である。
【図１５】本発明の密閉シート固定補助具の他の態様の部分平面図及び部分断面図である。
【図１６】本発明の密閉シート固定補助具の他の態様の部分平面図及び部分断面図である。
【図１７】従来の貯水タンクの改修方法の説明図である。
【図１８】従来の密閉シートとタンク本体内壁との接合状態の説明図である。
【符号の説明】
【００１７】
１  気体充填口
２  固縛テープ
３  貯水タンク
４  屋根部
５  マンホール
６  密閉シート
７  引き込みロープ
８  吊りロープ
９  ダイバー
１０  送気ホース
１１  穿孔
１２  ロープ
１３  ゴンドラクレーン
１４  密閉シート
１５  押え板
１６  ボルト
１７  貯水タンク
１８  ナット
１９  密閉シート固定補助具
２０  中空管の一端
２１  中空管の他端
２２  面ファスナ
２３  面ファスナ
２４  面ファスナ
２５  面ファスナ
２６  面ファスナ
２７  面ファスナ
２８  面ファスナ
２９  面ファスナ
３０  面ファスナ
３１  面ファスナ
３２  面ファスナ
３３  面ファスナ
３４  面ファスナ
３５  本体
３６  屋根部
３７  貯水タンク
３８  密閉シート
３９  仮設張力構造体
４０  側壁
４１  アンカーボルト
４２  押さえプレート
４３  螺合ボルト
【図１】
2007069951.tif 000003
【図２】
2007069951.tif 000004
【図３】
2007069951.tif 000005
【図４】
2007069951.tif 000006
【図５】
2007069951.tif 000007
【図６】
2007069951.tif 000008
【図７】
2007069951.tif 000009
【図８】
2007069951.tif 000010
【図９】
2007069951.tif 000011
【図１０】
2007069951.tif 000012
【図１１】
2007069951.tif 000013
【図１２】
2007069951.tif 000014
【図１３】
2007069951.tif 000015
【図１４】
2007069951.tif 000016
【図１５】
2007069951.tif 000017
【図１６】
2007069951.tif 000018
【図１７】
2007069951.tif 000019
【図１８】
2007069951.tif 000020
【手続補正書】
【提出日】平成18年3月16日(2006.3.16)
【手続補正２】
【補正対象書類名】明細書
【補正対象項目名】０００４
【補正方法】変更
【補正の内容】
【０００４】
本発明者らは、上記の課題を解決すべく鋭意研究を重ねた結果、密閉シートをタンク本体内壁に固定するアンカーボルトを密閉シート面よりも上方に設け、本体内壁の直径に等しい外径を有する可撓性シート製の中空管の環状体を密閉シート上に載置し、中空管内に気体を圧入して環状体を膨張させることにより、密閉シートの周縁部は本体内壁に押し付けられて隙間が生ずることがなく、さらに、可撓性シート製の線状の中空管の一端を他端に挿入して環状体を形成することにより、中空管の製造が容易になり、１本の中空管を用いて寸法の異なる多数の貯水タンクに使用し得る環状体を形成し得ることを見いだし、この知見に基づいて本発明を完成するに至った。
すなわち、本発明は、
（１）円筒形の本体及び屋根部からなる貯水タンクの屋根部の改修又は補修に際して、貯水空間を密閉保護するために本体内上部に架設する円形の密閉シートの周縁部を本体内壁に密着させる密閉シート固定補助具であって、可撓性シート製の中空管の環状体よりなることを特徴とする密閉シート固定補助具、
（２）可撓性シート製の線状の中空管の一端を他端に挿入することにより環状体を形成してなる(１)記載の密閉シート固定補助具、及び、
（３）中空管の両端に面ファスナを有する(２)記載の密閉シート固定補助具、
を提供するものである。